(57)【要約】【課題】電源を必要とせず、輸送中の振動を利用して動作電力を得ることができるようにしたＩＣタグを提供すること。【解決手段】コイル状のアンテナ５とＩＣチップ６に内蔵された容量素子とにより共振回路を形成して一定周波数の電波を送受信できるように構成されたＩＣタグ１であって、外部からの振動によってアンテナ５の内部で往復動するように設置された磁性体からなるコア７を備えており、そのコア７が往復動してアンテナ５に電流が流れることによってＩＣチップ６内の容量素子に電力が蓄えられるようになっている。外部からの振動によってコアが往復動することによって、動作電力を得ることができる。【選択図】図１
2008176363.tif 000002
【特許請求の範囲】
【請求項１】
コイル状のアンテナとＩＣチップに内蔵された容量素子とにより共振回路を形成して一定周波数の電波を送受信できるように構成されたＩＣタグであって、外部からの振動によってアンテナの内部で往復動するように設置された磁性体からなるコアを備えており、そのコアが往復動してアンテナに電流が流れることによってＩＣチップ内の容量素子に電力が蓄えられるようになっていることを特徴とするＩＣタグ。
【請求項２】
コアがアンテナの内部で往復動する移動範囲を調節可能であることを特徴とする請求項１に記載のＩＣタグ。
【請求項３】
ＩＣチップ内の容量素子に所定値以上の電力が蓄えられると、ＩＣチップ内の情報をアンテナから送信するようにしたことを特徴とする請求項１又は２に記載のＩＣタグ。
【請求項４】
ＩＣチップ内の容量素子に所定値以上の電力が蓄えられると、ＩＣチップ内のメモリに記録を残すようにしたことを特徴とする請求項１又は２に記載のＩＣタグ。
【発明の詳細な説明】
【技術分野】
【０００１】
本発明は、取扱い物品に取り付けるためのラベル、荷札、伝票などに用いられるＩＣタグの技術分野に属するものである。
【背景技術】
【０００２】
近年、ＩＣチップとアンテナからなり、外部処理装置との通信を非接触で行うＩＣタグが一般に広く知られるようになってきた。そして、運送や流通での物品管理の分野、工場での工程管理の分野などにおいては、このＩＣタグをラベル、荷札、伝票等に用いることが行われている。
【０００３】
このＩＣタグは、ラベル、荷札、伝票等に組み込まれ、取扱い物品に取り付けて使用されるが、その使い方としては取扱い物品の流れを管理するというのが一般的である。したがって、例えば、物品が輸送中に大きな振動を受けて損傷したり、品質が低下したりした場合、普通のＩＣタグではそれを知ることはできない。そこで、振動センサ付きのＩＣタグを使用することにより、物品の輸送時における振動の有無、振動発生の場所、振動の程度などを監視するようにしたものが提案されている。
【特許文献１】特開２００６−６２８６４号公報
【発明の開示】
【発明が解決しようとする課題】
【０００４】
上記した特許文献１に記載されているような振動センサ付きのＩＣタグは、物品の振動による損傷や異常、或いはその可能性の有無を監視することができる。しかしながら、振動センサからの振動情報を通信するために電源としての電池を必要とし、価格が高くなるという問題がある。また、電源である電池の残量をチェックし、充電や交換を行うなどのメンテナンスが必要となる。
【０００５】
本発明は、上記のような問題点や事情に鑑みてなされたものであり、その目的とするところは、電源を必要とせず、輸送中の振動を利用して動作電力を得ることができるようにしたＩＣタグを提供することにある。
【課題を解決するための手段】
【０００６】
上記の目的を達成するため、本発明のＩＣタグは、コイル状のアンテナとＩＣチップに内蔵された容量素子とにより共振回路を形成して一定周波数の電波を送受信できるように構成されたＩＣタグであって、外部からの振動によってアンテナの内部で往復動するように設置された磁性体からなるコアを備えており、そのコアが往復動してアンテナに電流が流れることによってＩＣチップ内の容量素子に電力が蓄えられるようになっていることを特徴としている。
【０００７】
このＩＣタグによれば、外部からの振動によってコアが往復動するとアンテナに電流が流れ、ＩＣチップの容量素子に電力が蓄えられるので、ＩＣタグの動作電力を得ることができる。
【０００８】
そして、コアがアンテナの内部で往復動する移動範囲を調節可能としてよい。これによって、ＩＣタグの動作電力を変更することができる。
【０００９】
上記のようなＩＣタグにおいて、ＩＣチップ内の容量素子に所定値以上の電力が蓄えられると、ＩＣチップ内の情報をアンテナから送信するよう設定するとよい。これによって、大きな振動があったことを知らせることができる。
【００１０】
或いは、ＩＣチップ内の容量素子に所定値以上の電力が蓄えられると、ＩＣチップ内のメモリに記録を残すように設定してもよい。これによって、大きな振動があったことを記憶することができる。
【発明の効果】
【００１１】
本発明に係るＩＣタグによれば、外部からの振動によってコアが往復動することによって、動作電力を得ることができるため、電源としての電池を必要とせず、安価なものとなる。また、電源をメンテナンスするような作業も不要となる。そして、外部から大きな振動を受けたことを送信したりメモリに記憶させたりすることにより、ＩＣタグを取り付けた取扱い物品が輸送時に大きな振動を受けたか否かを監視することができる。
【発明を実施するための最良の形態】
【００１２】
以下、具体例を挙げて本発明の好適な実施形態について説明する。
【００１３】
図１は本実施形態に係るＩＣタグの一例を示す断面図、図２は図１のＡ−Ａ断面図である。
【００１４】
このＩＣタグ１は、ネジ構造により互いに嵌め外しができるそれぞれプラスチック製の容器部分２と蓋部分３とからなる偏平なケースの形態を採っており、容器部分２に蓋部分３を取り付けると図示のように偏平な収納空間が形成されるようになっている。容器部分２の底部付近にはＰＥＴフィルム等の絶縁性のベースフィルム４が張設されており、このベースフィルム４にはコイル状のアンテナ５とＩＣチップ６が設けられ、さらにアンテナ５の中央に位置するようにして磁性体からなるコア７が取り付けられている。アンテナ５はベースフィルム４上に印刷により形成され、ＩＣチップ６はベースフィルム４上に載置接合されている。また、コア７はベースフィルム４上に接着剤を介して貼り付けられている。コア７は磁性体であれば何を用いてもよいが、価格面及び性能面からフェライトを使用するのが好適である。
【００１５】
このＩＣタグ１に外部から振動が加わると、容器部分２に張設されているベースフィルム４が収納空間内でばたつくことによってコア７がアンテナ５の内部で往復動する。そして、ベースフィルム４の面をＸ−Ｙ面とすると、コア７の往復動によりＺ軸方向に磁界が発生し、その磁界と垂直方向に存在するアンテナ５に電流が流れる。このようにアンテナ５に電流が流れ、ＩＣチップ６内の容量素子に電力が蓄えられる。
【００１６】
このＩＣタグ１は、ケースの蓋部分３を容器部分２に対して上下させることで、収納空間の高さを変えることができる。このように、コア７がアンテナ５の内部で往復動する移動範囲を調節することにより、ＩＣチップ６内に一定以上の電力が蓄えられるのに必要な外部からの振動エネルギーを設定することができる。
【００１７】
ＩＣタグ１は、アンテナ５とＩＣチップ６に内蔵された容量素子とにより共振回路を形成して一定周波数の電波を送受信できる。そして、その機能はＩＣタグ１の使い方によって任意に設定すればよい。例えば、ＩＣチップ６内の容量素子に所定値以上の電力が蓄えられると、ＩＣチップ６内の情報をアンテナから送信するようにしてもよいし、ＩＣチップ６内のメモリに記録を残すようにしてもよい。前者では、大きな振動があったことを知らせることができるし、後者では、大きな振動があったことを記憶することができる。
【００１８】
以上、本発明の実施の形態について詳細に説明してきたが、本発明によるＩＣタグは、上記実施の形態に何ら限定されるものではなく、本発明の趣旨を逸脱しない範囲において種々の変更が可能であることは当然のことである。
【００１９】
例えば、上記の例では、ケースをネジ構造にすることで、コアがアンテナの内部で往復動する移動範囲を調節可能としたが、内部空間を固定して移動範囲を決めておくようにすることもできる。この場合、ＩＣタグの外観は、円形状でなく矩形状やその他の形状にできることは言うまでもない。
【図面の簡単な説明】
【００２０】
【図１】本実施形態に係るＩＣタグの一例を示す断面図である。
【図２】図１のＡ−Ａ断面図である。
【符号の説明】
【００２１】
１  ＩＣタグ
２  容器部分
３  蓋部分
４  ベースフィルム
５  アンテナ
６  ＩＣチップ
７  コア
【図１】
2008176363.tif 000003
【図２】
2008176363.tif 000004